【手続補正書】
【提出日】平成28年3月25日(2016.3.25)
【手続補正１】
【補正対象書類名】特許請求の範囲
【補正対象項目名】請求項１
【補正方法】変更
【補正の内容】
【請求項１】
所定の演出内容を表示することが可能な第１の表示面を有する表示装置と、
所定の演出内容を表示することが可能な第２の表示面を有する可動体と、
前記可動体に前記第２の表示面の傾斜角度を変更する変更動作を行わせる動作制御手段と、
始動条件の成立により遊技者に有利な特別遊技を行なうか否かを判定する判定手段と、
前記判定手段による判定結果に基づいて、前記表示装置の前記第１の表示面に演出図柄を変動表示させてから当該判定結果を示す演出図柄を停止表示させる第１表示制御手段と、
前記第１表示制御手段により演出図柄が変動表示されているときに、前記可動体の前記第２の表示面に前記判定結果を示唆する示唆演出図柄を表示させることが可能な第２表示制御手段と、
を備え、
前記動作制御手段は、
前記第２表示制御手段により前記示唆演出図柄が表示されているときに、前記第２の表示面の傾斜角度を所定範囲にわたって変更することが可能であることを特徴とする遊技機。
【手続補正２】
【補正対象書類名】明細書
【補正対象項目名】０００２
【補正方法】変更
【補正の内容】
【０００２】
従来、遊技者の見る表示装置を、角度調整できる遊技機があった（例えば、特許文献１，２参照）。これらの遊技機では、遊技者が所定の操作スイッチを操作して、遊技者の希望する角度に、遊技説明や演出画像などを表示する表示装置を調整できた。
【手続補正３】
【補正対象書類名】明細書
【補正対象項目名】０００３
【補正方法】変更
【補正の内容】
【０００３】
また、所定のタイミングや所定のスイッチの操作により、表示装置の視野角を狭くしたり広くしたりして、表示装置の画像表示を見せる遊技機があった（例えば、特許文献３，４参照）。
【手続補正４】
【補正対象書類名】明細書
【補正対象項目名】０００５
【補正方法】変更
【補正の内容】
【０００５】
しかし、従来装置では、操作スイッチを操作して、表示装置を移動させたり、あるいは、遊技中であることを検知して、表示装置を遊技者側の下側に向け、客待ち状態では、表示装置を真横を向くように移動させるものであり、表示装置を移動させる駆動機構やセンサ等の他に、別途、操作スイッチや人の感知センサ等が必要となって、装置が複雑となっていた。そのため、遊技者が楽しく遊技できるように、遊技機が演出動作中の可動体の表示面の傾斜角度を、適宜、変更させることが、望まれる。
【手続補正５】
【補正対象書類名】明細書
【補正対象項目名】０００６
【補正方法】変更
【補正の内容】
【０００６】
本発明は、上述の課題を解決するもので、演出動作中の可動体の表示面の傾斜角度を変更できて、楽しく遊技できる遊技機を提供することを目的とする。
【手続補正６】
【補正対象書類名】明細書
【補正対象項目名】０００７
【補正方法】変更
【補正の内容】
【０００７】
本発明に係る遊技機は、所定の演出内容を表示することが可能な第１の表示面を有する表示装置と、
所定の演出内容を表示することが可能な第２の表示面を有する可動体と、
前記可動体に前記第２の表示面の傾斜角度を変更する変更動作を行わせる動作制御手段と、
始動条件の成立により遊技者に有利な特別遊技を行なうか否かを判定する判定手段と、
前記判定手段による判定結果に基づいて、前記表示装置の前記第１の表示面に演出図柄を変動表示させてから当該判定結果を示す演出図柄を停止表示させる第１表示制御手段と、
前記第１表示制御手段により演出図柄が変動表示されているときに、前記可動体の前記第２の表示面に前記判定結果を示唆する示唆演出図柄を表示させることが可能な第２表示制御手段と、
を備え、
前記動作制御手段は、
前記第２表示制御手段により前記示唆演出図柄が表示されているときに、前記第２の表示面の傾斜角度を所定範囲にわたって変更することが可能であることを特徴とする。
【手続補正７】
【補正対象書類名】明細書
【補正対象項目名】０００８
【補正方法】変更
【補正の内容】
【０００８】
本発明に係る遊技機では、表示装置の第１の表示面で演出図柄が変動表示されているときに、可動体の第２の表示面において示唆演出図柄が表示される。そしてその際、可動体は、動作制御手段により、その第２の表示面の傾斜角度を所定範囲にわたって変更する。
【手続補正８】
【補正対象書類名】明細書
【補正対象項目名】０００９
【補正方法】変更
【補正の内容】
【０００９】
そして、第２の表示面で表示される演出は、変動停止によって判定結果を示す演出図柄が変動表示されている状態で、その判定結果を示唆する示唆演出図柄であり、遊技者は、一喜一憂しながら、目視可能なその示唆演出図柄により、楽しく遊技できる。
【手続補正９】
【補正対象書類名】明細書
【補正対象項目名】００１０
【補正方法】変更
【補正の内容】
【００１０】
本発明に係る遊技機では、演出動作中の可動体の表示面の傾斜角度を、適宜、変更させることができて、遊技者は、その表示面に表示される示唆演出図柄により、楽しく遊技できる。
【手続補正１０】
【補正対象書類名】明細書
【補正対象項目名】００９５
【補正方法】変更
【補正の内容】
【００９５】
そしてまた、実施形態では、変動演出パターン選択処理（S1305）において、後述するように、示唆演出選択処理（図１９，２０参照）が実行される。この示唆演出選択処理は、装飾図柄変動演出中の所定タイミングに実行され、遊技者に有利な大当りか否かの大当たり判定の判定結果を示唆する演出を選択する処理である。
【手続補正１１】
【補正対象書類名】明細書
【補正対象項目名】０１０６
【補正方法】変更
【補正の内容】
【０１０６】
なお、大当たりの判定結果を示唆する演出として、ハート示唆演出図柄ＳＱを使用する示唆演出が選択された場合、画像表示部１９の表示画面１９ａでの装飾図柄変動を表示する際、図２３，２４に示すように、左装飾図柄と右装飾図柄が同じ図柄として停止表示されて中装飾図柄が変動中としたリーチ演出状態では、立体的なハートＱ１に矢Ｑ２が向かうハート示唆演出図柄ＳＱ１が、画像表示部２０の表示エリア２０ａに表示され、その後、図２４のＡ〜Ｃに示すように、大当たりの判定結果を示唆するように、立体的なハートＱ１に矢Ｑ２が刺さるハート示唆演出図柄ＳＱ２が表示され、ついで、図２４のＤに示すように、画像表示部１９の表示画面１９ａにおいて、左装飾図柄や右装飾図柄と同じ図柄の中装飾図柄が停止表示される。
【手続補正１２】
【補正対象書類名】明細書
【補正対象項目名】０１３７
【補正方法】変更
【補正の内容】
【０１３７】
（７）実施形態のパチンコ遊技機の作用・効果・変形例
１．
実施形態のパチンコ遊技機１０では、装飾図柄変動（図２３等参照）等の所定の演出内容を表示することが可能な第１の表示面（表示画面）１９ａを有する表示装置（画像表示部）１９と、
示唆演出等の所定の演出内容を表示することが可能な第２の表示面（表示エリア）２０ａを有する可動体（可動役物）１１１と、
可動役物１１１に第２の表示面としての表示エリア２０ａの傾斜角度θ（θ１，θ２，θ３）を変更する変更動作を行わせる動作制御手段（ランプ制御部１００）と、
始動口２２，２３への入賞による始動条件の成立により遊技者に有利な特別遊技としての大当り遊技を行なうか否かを判定する判定手段（メイン制御部６０の特別図柄処理（図９）の大当たり判定処理（図１０）参照）と、
判定手段による判定結果に基づいて、画像表示部１９の表示画面１９ａに演出図柄を変動表示させてから判定結果を示す演出図柄を停止表示させる第１表示制御手段（演出制御部９０と画像音響制御部９５）と、
第１表示制御手段により演出図柄が変動表示されているときに、可動役物１１１の表示エリア２０ａに判定結果を示唆する示唆演出図柄ＳＱ，ＳＭを表示させることが可能な第２表示制御手段（演出制御部９０と画像音響制御部９５）と、
を備え、
動作制御手段（ランプ制御部１００）は、
第２表示制御手段により示唆演出図柄ＳＱ，ＳＭが表示されているときに、表示エリア２０ａの傾斜角度θ（θ１，θ２，θ３）を所定範囲にわたって変更することが可能である。
【手続補正１３】
【補正対象書類名】明細書
【補正対象項目名】０１３８
【補正方法】変更
【補正の内容】
【０１３８】
実施形態のパチンコ遊技機１０では、画像表示部１９の表示画面１９ａで演出図柄としての装飾図柄（図２３等参照）が変動表示されているときに、図２３〜３６に示すように、可動役物１１１の表示エリア２０ａにおいて示唆演出図柄ＳＱ，ＳＭが表示される場合がある。そしてその際、可動役物１１１は、動作制御手段（ランプ制御部１００の変更動作処理（図２２）参照）により、その表示エリア２０ａの傾斜角度を、図６に示すように、θ１（Ｐ１）→θ２（Ｐ２）→θ１（Ｐ１）→θ３（Ｐ３）→θ１（Ｐ１）と、所定範囲にわたって変更する。そのため、着座位置や体格等が異なった遊技者ＭＣ，ＭＬ，ＭＲであっても、可動役物１１１の変更動作中のいずれかのポイントにおいて、表示エリア２０ａを的確に視認できる。